(57)【要約】【課題】  表示手段のアスペクト比と異なるアスペクト比の画像を表示するときに生じる余白画像と表示画像の境界が判らなくなることを防止する。【解決手段】  デジタルカメラにおいて表示手段のアスペクト比と異なるアスペクト比の画像を表示するときに生じる余白画像を表示画像と接する近接領域と表示画像とは接しない非近接領域に分割し、それぞれの領域に異なる輝度または色にすると共に、近接領域の面積を非近接領域の面積よりも小さくした。また上記近接領域と非近接領域のそれぞれの輝度や色を入換える入換え手段を設けた。さらに上記近接領域は前記表示手段で設定しえる最小の面積になるようにした。【選択図】  図１
2008124899.tif 000002
【特許請求の範囲】
【請求項１】
被写体を撮影する撮影手段と前記被写体像や撮影された画像を表示する表示手段を有したデジタルカメラにおいて、前記表示手段のアスペクト比とは異なるアスペクト比の画像を表示する場合において、前記表示手段のアスペクト比とは異なるアスペクト比の画像に余白画像を付加して前記表示手段のアスペクト比が等しい余白付画像を生成する余白画像付加手段を有し、前記余白画像は表示される画像と接する第一の画像領域と表示される画像と接しない第二の画像領域を有し、前記第一の画像領域と第二の画像領域にはそれぞれ異なる輝度または色の画像が表示されると共に前記第一の画像領域は前記第二の画像領域よりも面積が小さいことを特徴とするデジタルカメラ。
【請求項２】
前記第一の画像領域と前記第二の画像領域のそれぞれに表示された画像を入れ換える余白画像入れ換え手段を有したことを特徴とする請求項１に記載のデジタルカメラ。
【請求項３】
前記第一の画像領域は前記表示手段で設定し得る最小の面積となっていることを特徴とする請求項１乃至請求項２に記載のデジタルカメラ。
【発明の詳細な説明】
【技術分野】
【０００１】
本発明は記録媒体に静止画や動画を記録再生可能な記録再生装置に関するものである。
【背景技術】
【０００２】
従来、表示画面と異なるアスペクト比の画像を表示する場合、図９に示すように画像を表示する表示領域とアスペクト比が異なるために画像が表示されない余白領域が生じる。そして余白領域に表示する映像は単一な輝度、色の映像を表示したり、特開平03-082284のように、表示している映像に基いて生成するディスプレイ装置があった。
【特許文献１】特開平03-082284号公報
【発明の開示】
【発明が解決しようとする課題】
【０００３】
しかし上記ディスプレイ装置をデジタルカメラに搭載した場合、従来の余白画像の生成方法には以下の問題があった。
【０００４】
余白画像に図９に示すように黒色の単一な色を表示した場合、表示画像に図１０に示すような夜景を表示すると、表示された画像と余白画像との区別がつかなくなるといった問題があった。特に撮影をするためのフレーミングを行う時に上記問題が生じると正確なフレーミングが出来なくなっていた。
【０００５】
また特開平03-082284のように余白画像を表示された画像の一部を用いて生成する場合、表示する画像が動画であった場合に前記表示された画像が変化するたびに余白画像も変化してしまうので、表示する画像によっては余白画像が目まぐるしく変化して使用者によっては煩わしい印象を与えていた。
【０００６】
本発明の第一目的はどのような画像を表示した場合でも、上記余白画像と表示画像の区別がつかなくなるのを防止することである。
【０００７】
本発明の第二の目的は余白画像が表示画像の変化によってめまぐるしく変化しないようにすることである。
【課題を解決するための手段】
【０００８】
上記第一および第二の目的を達成するため、本出願に係る第一の発明では被写体を撮影する撮影手段と前記被写体像や撮影された画像を表示する表示手段を有したデジタルカメラに前記表示手段のアスペクト比とは異なるアスペクト比の画像を表示する時において表示される画像に余白画像を付加して余白付画像を生成し、表示手段のアスペクト比と余白付画像のアスペクト比を同じにする余白画像付加手段を設け、前記余白画像には表示される画像と接する第一の画像領域と表示される画像と接しない第二の画像領域を設け、前記第一の画像領域と第二の画像領域にはそれぞれ異なる輝度または色の画像が表示されると共に前記第一の画像領域は前記第二の画像領域よりも表示面積を小さくした。
【０００９】
また上記第一の目的をより効果的に達成するため、本出願に係る第ニの発明では第一の発明のデジタルカメラにおいて、前記第一の画像領域と前記第二の画像領域のそれぞれに表示された画像を入れ換える余白画像入れ換え手段を設けた。
【００１０】
また上記第一の目的をより効果的に達成するため、第三の発明では第一、第ニの発明のデジタルカメラにおいて、前記第一の表示領域は前記表示手段で設定し得る最小の面積となるようにした。
【発明の効果】
【００１１】
以上説明したように、本発明の第一の発明では被写体を撮影する撮影手段と前記被写体像や撮影された画像を表示する表示手段を有したデジタルカメラに前記表示手段のアスペクト比とは異なるアスペクト比の画像を表示する時において、表示される画像に余白画像を付加して、余白付画像を生成し、表示手段のアスペクト比と余白付画像のアスペクト比を同じにする余白画像付加手段を設け、前記余白画像には表示される画像と接する第一の画像領域と表示される画像と接しない第二の画像領域を設け、前記第一の画像領域と第2の画像領域にはそれぞれ異なる輝度または色の画像が表示されると共に前記第一の画像領域は前記第二の画像領域よりも表示面積を小さくしたことにより表示画像と余白画像の区別がつかない状態を防止できるといった効果がある。
【００１２】
また本発明の第ニの発明では第一の発明のデジタルカメラにおいて、前記第一の画像領域と前記第二の画像領域のそれぞれに表示されている画像を余白画像入れ換え手段を設けたので、より効果的に表示画像と余白画像の区別がつかない状態を防止できるといった効果がある。
【００１３】
また本発明の第三の発明では第一、第ニの発明のデジタルカメラにおいて、前記第一の表示領域は前記表示手段で設定し得る最小の面積となるようにしたので、余白画像と表示画像の区別がつかない領域を最小限にすることが出来るので、余白画像と表示画像の区別がつかない状態でもフレーミング等に支障が少なく、その結果第二の発明のような余白画像の入換えといった操作もほとんどする必要がないといった効果がある。
【発明を実施するための最良の形態】
【００１４】
（実施例１）
図１〜３は本発明の特徴を最もよく示す図で、本発明を実施したデジタルカメラの後述する表示手段1の表示状態を示す図である。これらの図において１aは表示手段１のアスペクト比と異なる画像を表示した時の画像表示領域を示し、１b、１cは余白領域を示している。そして余白領域１b、１cはそれぞれ表示画像に接している近接領域1b1、1c1と、表示画像に接していない非近接領域1b2、1c2に分割され、近接領域1b1、1c1には黒色が表示され、非近接領域1b2、1c2に白色が表示されている。なお本実施例では表示手段１のアスペクト比は３：４であり、また近接領域1b1、1c1は表示手段１で表示可能な最小の幅に設定されているものとする。
【００１５】
図４は本発明を実施したデジタルカメラの背面図を示し、同図において１は被写体像や撮影した画像を表示する表示手段である。２はデジタルカメラ本体、３は光学式ファインダ、４は押下されることにより撮影が行なわれるレリーズボタンである。５はデジタルカメラのさまざまな機能等の選択および切換えを行うための十字キーである。６は前記近接領域1b1、1c1に表示されている画像と非近接領域1b2、1c2に表示されている画像の入換え操作を行うための余白切換えボタンである。７はデジタルカメラの動作モードを選択するためのモードレバーである。
【００１６】
図5は本発明を実施したデジタルカメラのブロック図である。同図において1〜７は図４で説明しているのでここでは説明を省略する。８は被写体像を生成する撮影レンズで、９は前記被写体像を光電変換して映像信号を生成する撮像素子である。１０は表示手段１のアスペクト比とは異なるアスペクト比の画像を表示する時に表示する画像のアスペクト比に応じて余白画像を生成する余白画像生成手段である。１１は前記撮像素子で得られた映像信号を記録するメモリである。１２はデジタルカメラの制御全般を行なう制御手段である。
【００１７】
次に動作を説明する。図６はデジタルカメラの動作フロー示すフローチャート図で、同図に沿って動作を説明していく。なお特に断らない場合、動作は演算手段１２が行なうものとする。まずデジタルカメラの図示しない電源が投入されると（Ｓ１０１）、モードレバー７で選択されている動作モードに応じた動作モードへ移行を行なう。ここでは動作モードとして撮影モードが選択されているものとする。撮影モードでは撮影レンズ８によって結像した光学像を撮像素子９によって光電変換され映像信号が生成される。（Ｓ１０３）  次に前記映像信号は現在選択されているアスペクト比に応じて余白画像生成手段によって映像信号の切り取りと余白画像の追加が行なわれ（Ｓ１０４）、表示手段１に表示される（Ｓ１０５）。なお、現在アスペクト比は９：１６に設定されているものとする。図1〜３はこのときに表示される映像の例を示した図である。これらの図より本実施例では余白画像には表示画像に接している近接領域1b1、1c1と、表示画像に接していない非近接領域1b2、1c2に分割され近接領域1b1、1ｃ1の方がより小さい面積となるように設定されている。そのため図1のように表示画像領域１aに表示された表示画像と近接領域1ｂ1、1ｃ1の画像の輝度や色の差がある場合だけでなく、図２に示すように前記表示画像と近接領域1ｂ1、1ｃ1の画像の輝度や色の区別がつかない場合でも、区別のつかない領域が余白画像のうち小さい領域に限定されるため撮影のためのフレーミング等に大きな支障とはならない。
【００１８】
図６に戻って、次に表示画像領域１aに表示された表示画像が図2のように近接領域の画像と区別できないような場合に、使用者は余白切換えボタン６を操作すると（Ｓ１０６）、余白画像生成手段１０は近接領域1ｂ1、1ｃ1と非近接領域1b2、1c2の画像を入換えて（Ｓ１０７）、Ｓ１０４に移行する。すると表示画像は図３のように表示画像領域１aに表示された表示画像が近接領域1ｂ1、1ｃ1の画像と区別できるようになる。このような操作によって表示画像がどのような画像であっても余白画像との境界を容易に区別することが可能である。次に表示された画像のアスペクト比が気に入らない場合は、メニューボタンを操作することにより（Ｓ１０８）、図７に示すように表示手段１にメニュー画面が表示される（Ｓ１０９）ので、アスペクト比変更メニュー内のアスペクト比を十字キー５の操作して選択することにより撮影する画像のアスペクト比を変更することが出来る（Ｓ１１０）。そしてＳ１１１でレリーズボタン４が押下されたことが検知されると、撮像素子９で得られた映像信号から設定されているアスペクト比に応じて画像の切り出しを行い、メモリ１１に記録される（Ｓ１１２）。以下Ｓ１１３で電源ＯＦＦが検知され、Ｓ１１４でデジタルカメラの電源が切られるまで、Ｓ１０２からＳ１１２の動作を繰り返す。
【００１９】
次にＳ１０２でモードレバー７により再生モードが選択されていた場合を説明する。図８は再生モード時の動作フローを示すフローチャート図である。同図において再生モードでは前記メモリ１１から指定された画像データを読み出す（Ｓ２０１）。なお本実施例では再生モードへの移行時の画像データの読み出しは最後に撮影された画像が読み出されるものとする。次に読み出された画像データからアスペクト比を演算する（Ｓ２０２）。次に演算されたアスペクト比に応じて余白画像付加手段は余白画像を生成すると共に、前記表示手段1に表示するための映像信号をＳ２０１で読み出された画像データから生成し、該映像信号に前記余白画像を付加する（Ｓ２０３）。そして余白画像を付加された映像信号は前記表示手段１に表示される（Ｓ２０４）。図１〜３は撮影モードの時と同様、表示手段１に表示された画像例である。また同様に表示された画像が図２に示したように余白画像１b、１cの近接領域1b1、1c1が表示画像と区別できない場合は前記余白切換えボタン６を押下することにより（Ｓ２０５）、近接領域1ｂ1、1ｃ1と非近接領域1b2、1c2の画像を入換えて（Ｓ２０６）、Ｓ２０４へ戻ることで、撮影モード時と同様に表示画像と余白画像の境界を明確にすることができる。以下Ｓ２０７で前記十字キー５を操作が検知されるか、Ｓ２０９で図示しない電源スイッチが操作されたことを検知してＳ２１０でデジタルカメラの電源が切られるまでＳ２０４からＳ２０７の動作を繰り返す。そしてＳ２０７で前記十字キー５を操作を検知するとメモリ１１から読み出す画像データが操作された十字キーに応じて変更され（Ｓ２０８）、Ｓ２０３へ移行する。以下Ｓ２０１からＳ２０９の動作を繰り返す。
【００２０】
なお、本実施例では再生モード時のアスペクト比を演算により求めていたが、予めアスペクト比情報が記録画像に付加されていた場合にはそれを読み取って用いても良いのは言うまでもない。
【００２１】
以上のように本実施例では近接領域と非近接領域の色を最もコントラストが高くなる白と黒にしているので表示画像と近接領域の区別がつかない場合においても近接領域と非近接領域は常に最も区別がつきやすい状態に出来るといった効果がある。
【００２２】
（実施例２）
なお、表示画像の前記近接領域1ｂ1、1ｃ1の近傍領域と近接領域1ｂ1、1ｃ1の画像を比較して差分が所定値以下しかない場合に近接領域1ｂ1、1ｃ1と非近接領域1b2、1c2の画像を入換えを自動的に行うようにしても良い。この場合使用者がわざわざ余白切換えボタンを押す必要がないといったメリットがある。また上記所定値は使用者が設定できるようにしても良い。この場合近接領域1ｂ1、1ｃ1と非近接領域1b2、1c2の画像を入換えのタイミングを使用者の好みに合わせることが出来るといった効果がある。
【図面の簡単な説明】
【００２３】
【図１】本発明の第一の実施例の表示手段の第一の画像表示例を示した図。
【図２】本発明の第一の実施例の表示手段の第二の画像表示例を示した図。
【図３】本発明の第一の実施例の表示手段の第三の画像表示例を示した図。
【図４】本発明を実施したデジタルカメラの背面図。
【図５】本発明を実施したデジタルカメラのブロック図。
【図６】本発明を実施したデジタルカメラの動作フロー示したフローチャート図。
【図７】本発明を実施したデジタルカメラのメニュー画面を示した図。
【図８】本発明を実施したデジタルカメラの再生動作フロー示したフローチャート図。
【図９】従来の表示手段の表示例を示した第一の図。
【図１０】従来の表示手段の表示例を示した第二の図。
【符号の説明】
【００２４】
１  表示手段
２  カメラ本体
３  光学式ファインダー
４  レリーズボタン
５  十字キー
６  余白切換えボタン
７  モードレバー
８  撮影レンズ
９  撮像素子
１０  余白画像生成手段
１１  メモリ
１２  演算手段
【図１】
2008124899.tif 000003
【図２】
2008124899.tif 000004
【図３】
2008124899.tif 000005
【図４】
2008124899.tif 000006
【図５】
2008124899.tif 000007
【図６】
2008124899.tif 000008
【図７】
2008124899.tif 000009
【図８】
2008124899.tif 000010
【図９】
2008124899.tif 000011
【図１０】
2008124899.tif 000012